(57)【要約】【課題】ストッパ部材が筐体外部に突出せず、遠心分離機の外観体裁、取扱性、安全性、ストッパ部材の耐久性等を向上させるとともに、ドアのあおり振動を軽減防止することができるようにした遠心分離機のドア機構を提供する。【解決手段】ドア２２を開閉させるガススプリング４３は、筐体２１内に上面板３１に設けたステー用孔３３を貫通して配設され、上端がドア２２に枢着され、下端が筐体２１の内底面側に枢着されており、伸長時にドア２２を押上げて鉛直上方に開く。ガススプリング４３に嵌着されている弾性部材からなるストッパ部材５０は、ガススプリング４３の伸長時に上面板３１の下面に押し付けられて圧縮することにより、ガススプリング４３の伸長動作をストロークエンドとなる直前に停止させる。【選択図】  図１
2008168253.tif 000002
【特許請求の範囲】
【請求項１】
上方に開放する筐体と、この筐体内に配設され試料を遠心分離するロータを収納するチャンバーと、前記筐体の上面開口部に取付けられ前記チャンバーの外周部を覆う上面板と、前記筐体の後方側上端縁に蝶番を介して開閉自在に取付けられ前記筐体の上面開口部を覆うドアとを備えた遠心分離機において、
前記筐体内に配設され伸長動作時に前記ドアを鉛直上方に開放させるガススプリングと、前記ガススプリングに装着された弾性材料からなるストッパ部材とを具備し、
前記上面板に前記ガススプリングが貫通するステー用孔を設け、
前記ストッパ部材は、前記ガススプリングの伸長動作にともない前記上面板の下面で前記ステー用孔の周縁部に徐々に押し付けられることにより上面板との接触面積が増大し、前記ガススプリングの伸長動作をストロークエンドとなる直前に停止させることを特徴とする遠心分離機のドア機構。
【請求項２】
前記ストッパ部材を筒状体に形成して前記ガススプリングに支承させたことを特徴とする請求項１記載の遠心分離機のドア機構。
【発明の詳細な説明】
【技術分野】
【０００１】
本発明は、遠心力を利用して血液等の液体試料を分離する遠心分離機のドア機構に関するものである。
【背景技術】
【０００２】
遠心分離機のドア機構としては、例えば特許文献１に記載されているドア機構が知られている。この特許文献１に記載されている遠心分離機のドア機構は、ガススプリングを用いてドアを開閉操作するようにしたもので、ドアを開く際にガススプリングが伸長動作してドアを上方に押上げ、略垂直に開くとストロークエンドとなるようにしたものである。このようなドア機構によれば、ドアを鉛直上方に持ち上げるとき、ドアの重力方向の重さをガススプリングの伸長作用により軽減することができるため、僅かな力でドアを開くことができ、またドアを鉛直上方に開いたときにはガススプリングがステーとして機能するため振動や騒音の発生を防止することができる。また、ドアを軸支するトルク蝶番に回動動作にともない回転抵抗を付与するようにしておくと、ガススプリングがガス抜け故障を起こしてその伸長力を失ってもトルク蝶番に付与している回転抵抗によりドアが自重により急激に回動落下するおそれがなく、安全性を向上させることができるとしている。
【０００３】
また、従来のこの種の遠心分離機のドア機構においては、図６および図７に示すように、筐体１の背面上部にストッパゴム２を取付金具３を介して取付け、ドア４が略鉛直上方に開いたとき、ドア１の背面をストッパゴム２で受け止め支持することにより、ドア４の鉛直上方の全開位置を定めるようにしている。なお、５はガススプリング、６は蝶番である。
【０００４】
【特許文献１】特開２００５−３４７２４号公報
【発明の開示】
【発明が解決しようとする課題】
【０００５】
しかしながら、図６および図７に示した従来の遠心分離機のドア機構においては、ストッパゴム２と取付金具３が筐体１の後方に突出する突起物を構成しているため、遠心分離機１０の外観上の体裁が悪いばかりか、遠心分離機１０を持ち運ぶときに操作者の手や体の一部がストッパゴム２や取付金具３に当たったり、衣服が引っ掛かかったりするという問題があった。
【０００６】
また、従来のストッパゴム２は、ドア４が全開したとき、上面全体でドア４の重量を受け止めているため、大きな圧縮力が加わり、変形したり劣化し易く、そのため耐久性に優れた高価な材質のゴムを使用しなければならなかった。特に、耐久性がなくなると、ドア４を開いたとき、ドア４があおり振動（揺動）したりそれに伴う振動音が生じ易くなるという問題があった。
【０００７】
さらに、ドア機構の組立作業において、ストッパゴム２を接着剤で取付金具３に接着しているため、接着剤が硬化するまで次の作業を待たなければならず、組立作業が長時間化するという問題もあった。
【０００８】
また、取付金具３を筐体１の背面所定箇所に複数本の止めねじ７によって固定するとき、取付金具３の固定位置がずれるとドア４の開き角度に差が生じたり、揺動が生じ易くなるという問題もあった。
【０００９】
さらに、従来のドア機構は、ガススプリング５のストロークエンドでドア４を開位置に停止させているので、ドア４が揺動すると、ガススプリング５が破損し、ガス抜け事故を起こすことがあった。ガススプリング５はガス抜け事故を起こすと、ドア４に対する支持力を完全に失うため、ドア４が自重によって急激に回動落下し、操作者の手を筐体１とドア４との間で挟んでしまうおそれがあった。
【００１０】
本発明は上記した従来の問題を解決するためになされたもので、その目的とするところは、ストッパ部材が筐体外部に突出せず、遠心分離機の外観上の体裁、取扱性、安全性、ストッパ部材の耐久性等を向上させるとともに、ドアのあおり振動を軽減防止することができるようにした遠心分離機のドア機構を提供することにある。
【課題を解決するための手段】
【００１１】
上記目的を達成するために本発明は、上方に開放する筐体と、この筐体内に配設され試料を遠心分離するロータを収納するチャンバーと、前記筐体の上面開口部に取付けられ前記チャンバーの外周部を覆う上面板と、前記筐体の後方側上端縁に蝶番を介して開閉自在に取付けられ前記筐体の上面開口部を覆うドアとを備えた遠心分離機において、前記筐体内に配設され伸長動作時に前記ドアを鉛直上方に開放させるガススプリングと、前記ガススプリングに装着された弾性材料からなるストッパ部材とを具備し、前記上面板に前記ガススプリングが貫通するステー用孔を設け、前記ストッパ部材は、前記ガススプリングの伸長動作にともない前記上面板の下面で前記ステー用孔の周縁部に徐々に押し付けられることにより上面板との接触面積が増大し、前記ガススプリングの伸長動作をストロークエンドとなる直前に停止させるものである。
【００１２】
また、本発明は、ストッパ部材を筒状体に形成してガススプリングに支承させたものである。
【発明の効果】
【００１３】
本発明においては、ガススプリングを用いてドアを開閉動作させるようにしているので、ドアを僅かな力で開閉させることができ、遠心分離機の取扱性を向上させることができる。
【００１４】
ストッパ部材をガススプリングに装着しているので、ストッパ部材が筐体外部に突出する突起物を構成せず、遠心分離機の外観体裁を向上させることができる。
【００１５】
また、ストッパ部材はドアが開いていくと上面板の下面に接触し、その接触面積を徐々に増大させながら押し付けられていくため、変形や劣化が軽減され、耐久性を向上させることができる。すなわち、ストッパ部材にかかる単位面積当たりの力が徐々に少なくなることで、変形量が減る。変形量が減ることで劣化（へたり）が軽減される。また、耐久性が向上すれば安価な材質の弾性部材を用いることができる。また、変形や劣化が少なければドアのあおり振動も軽減することができる。
【００１６】
さらに、ストッパ部材は、上面板に押し付けられて圧縮することにより、ガススプリングのストロークエンドとなる直前にガススプリングの伸長動作を停止させるので、ドアの開き角を一定にすることができ、またガススプリングがガス抜け事故を起こすことがない。
【００１７】
ストッパ部材を筒状体に形成し、ガススプリングに支承させた発明においては、ストッパ部材を遊嵌状態でガススプリングに嵌めておけば、ストッパ部材の回動によりドアが一定位置に当たらなくなり、ストッパ部材の耐久性が向上する。また、ストッパ部材の取付作業も簡単かつ容易である。
【発明を実施するための最良の形態】
【００１８】
以下、本発明を図面に示す実施の形態に基づいて詳細に説明する。
図１は本発明に係るドア機構を備えた遠心分離機のドアが開いた状態の断面図、図２は同遠心分離機のドアが閉じた状態の一部を破断して示す側面図、図３は同遠心分離機の筐体の平面図、図４はガススプリングの伸長した状態を示す側面図、図５（ａ）〜（ｃ）はストッパ部材の上面板に対する接触面積の変化を示す図である。
【００１９】
図１〜図３において、全体を参照符号２０で示す遠心分離機は、上方に開放する直方体状の筐体２１と、この筐体２１の上面を覆うドア２２と、前記筐体２１内に収納されたチャンバー２３と、このチャンバー２３内に収納された遠心分離機用ロータ２４と、このロータ２４を遠心分離時に高速回転させる駆動モータ２５と、前記ドア２２を開閉動作させるドア機構２６等を備えている。
【００２０】
前記筐体２１の前面板２１Ａは、上部が前下がりに傾斜しており、この傾斜部にはスイッチパネル３０が設けられている。そして、スイッチパネル３０には、スタートボタン、遠心分離の条件（時間、回転速度等）等を設定するための各種ボタン、ＬＥＤ表示装置等が配設されている。
【００２１】
また、筐体２１の上面には、前記チャンバー２３の周囲を覆う上面板３１が配設されている。この上面板３１には、チャンバー２３の内径と略同じ大きさの開口３２と、左右一対のステー用孔３３が形成されている。ステー用孔３３は、前後方向に長い長孔からなり、上面板３１の後端側の両側縁部にそれぞれ形成されている。チャンバー２３の上面外周縁部には、ドア２２が閉じたときに密接する環状のエッジゴム３４が取付けられている。
【００２２】
前記ドア２２の裏面前端部寄りには、ドア２２が閉じたとき、筐体２１側に設けられている係合部（図示せず）に係合することにより、ドア２２を筐体２１にロックする左右一対のフック３５が取付けられている。
【００２３】
前記遠心分離機用ロータ２４は、駆動モータ２５の回転軸３６に取付けられた平面視十字状の支持アーム３７と、この支持アーム３７の各アーム部に支持軸（トラニオンピン）３８を介してそれぞれ回動自在に取付けられ液体試料が入った複数本の試料管４０が装填される４つのバケット３９とを備えたスイングロータで構成されている。ただし、遠心分離機用ロータ２４としては、スイングロータに限らずアングルロータであってもよい。
【００２４】
前記ドア機構２６は、ドア２２の後端を筐体２１の背面板２１Ｂの上縁に回動自在に連結する蝶番４２と、ドア２２を開閉動作させる左右一対のガススプリング４３とを備えている。各ガススプリング４３は、圧縮ガスが充填されたシリンダ本体４３Ａと、このシリンダ本体４３Ａに摺動自在に嵌挿され、一端が外部に突出したピストンロッド４３Ｂとを備え、前記筐体２１の左右の側板の内面に沿ってそれぞれ配設されている。また、ガススプリング４３は、ピストンロッド４３Ｂが下方で、シリンダ本体４３Ａが上方に位置し、ピストンロッド４３Ｂの下端が筐体２１の内底面に設けたブラケット４４に連結ピン４５を介して前後方向に回動自在に枢着され、シリンダ本体４３Ａが前記上面板３１のステー用穴３３を貫通して筐体２１の上方に突出し、その突出端が前記ドア２２の裏面後端部に突設したブラケット４６に連結ピン４７を介して回動自在に枢着されている。また、ガススプリング４３は、図２のドア２２が閉じた状態において最小に短縮しており、図１に示すようにドア２２を開くときにシリンダ本体４３Ａ内のガス圧によって伸長してシリンダ本体４３Ａが上昇することによりドア２２を押し上げ、略垂直に近い状態に開放させるように構成されている。なお、ガススプリング４３は、伸長状態と短縮状態のいずれにおいても、後方に傾斜した状態に保持されており、後述するストッパ部材５０が上面板３１の下面に対して片当たりするようになっている。
【００２５】
さらに、ガススプリング４３のシリンダ本体４３Ａには、シリンダ本体４３Ａの上昇限を設定する前記ストッパ部材５０と、このストッパ部材５０の下端を位置決めする支持ワッシャ５１および止め輪５２（図４参照）がそれぞれ装着されている。前記ストッパ部材５０は、ゴム等の弾性材料、例えば硬度が６０°〜７０°の一般的なクロロプレンゴムによって両端が開放する筒状体に形成され、シリンダ本体４３Ａの外周に遊嵌状態で嵌装されている。また、ストッパ部材５０は、ガススプリング４３の伸長動作にともない前記上面板３１の下面で前記ステー用孔３３の周縁部に片当たり状態で徐々に押し付けられることにより、圧縮されて図５（ａ）〜（ｃ）に斜線で示すように上面板３１との接触面積Ｓが徐々に増大し、ガススプリング４３がストロークエンドとなる直前に圧縮による弾撥力がガススプリング４３の伸長力と等しくなることによりガススプリング４３の伸長動作を停止させ、ドア２２を最大角度開いた開位置に停止させるように構成されている。ドア２２の開き角度は、ストッパ部材５０の長さや硬度を変えたり、シリンダ本体４３Ａに対する取付位置を変えたり、あるいはまた支持ワッシャ５１の枚数や止め輪５２の止着位置を変えたりすることにより、任意の開き角度にすることができる。なお、止め輪５２は、シリンダ本体４３Ａの外周面に形成された環状溝に嵌着されており、その上にストッパ部材５０が支持ワッシャ５１を介して載置されている。
【００２６】
このような構造からなる遠心分離機２０において、遠心分離作業を始めるために、チャンバー２３内に試料管４０が装着されたロータ２４をチャンバー２３内に挿入し、駆動モータ２５の回転軸３６に固定する。次に、操作者がドア２２を開いた状態から閉じた状態にするためにドア２２の外側面を手で押して閉じる。このとき、ガススプリング４３は、短縮されてシリンダ本体４３Ａ内のガス圧が上昇する。このため、ガススプリング４３の伸長力はドア２２が閉まるにしたがって強くなり、ドア２２の急激な落下を防止する。また、ガススプリング４３の伸長力をドア２２自体の重量より若干大きく設定しておくと、大きな力を必要とせずにドア２２を閉めることができる。ドア２２をロックし準備が完了した後、駆動モータ２５を駆動してロータ２４を高速回転させ、試料管４０内の試料を遠心分離する。
【００２７】
遠心分離機２０による試料の遠心分離作業が終了すると、チャンバー２３からロータ２４もしくは試料管４０を取り出すために操作者が操作パネル３０のオープンボタンを操作する。すると、ドア２２のロック状態が解除され、ガススプリング４３が駆動して伸長し、ドア２２を押し上げる。このため、ドア２２は、ガススプリング４３の伸長作用により蝶番４２の軸を中心として上方に徐々に回動して開いていく。ガススプリング４３が伸長すると、ストッパ部材５０もガススプリング４３の伸長動作にともなって上昇し、一定高さまで上昇すると、ストッパ部材５０の上面両側部分が上面板３１の下面に片当たりして圧縮され、上面板３１との接触面積Ｓが徐々に増大する。そして、一定量圧縮されると、その弾撥力がガススプリング４３の伸長力に対して抗力となり、ガススプリング４３がストロークエンドになる直前にガススプリング４３の伸長動作を停止させる。このため、ドア２２も停止し、最大角度開いた状態に保持される。このとき、ドア２２はあおり振動、それに伴う振動音が生じることなく静粛に停止する。
【００２８】
ガススプリング４３はストロークエンド以上に伸長すると、ガス抜け故障を起こすが、本実施の形態においてはストッパ部材５０によってストロークエンドになる直前にガススプリング４３の伸長動作を停止させるようにしているので、ガススプリング４３のガス抜け故障を確実に防止することができる。したがって、ドア２２が自重によって急激に回動落下することがなく、操作者が手を挟まれるといった事故を防止でき、遠心分離機２０の安全性を向上させることができる。
【００２９】
また、ストッパ部材５０は、ガススプリング４３に装着されているので、筐体２１の外部に突起物として突出せず、このため遠心分離機２０の外観がすっきりし、持ち運ぶときにストッパ部材５０に手や衣服が当たったりすることがない。
【００３０】
また、ストッパ部材５０は、ドア２２を開くとき、上面板３１の下面に徐々に当たって接触面積Ｓが増大するため、変形や劣化が軽減され、クロロプレンゴム等の一般の安価なゴムを使用することができる。
【００３１】
さらに、ストッパ部材５０をガススプリング４３に嵌着するだけでよいので、接着剤を必要とせず、ストッパ部材５０のガススプリング４３に対する組付作業も簡単かつ容易である。
【図面の簡単な説明】
【００３２】
【図１】本発明に係るドア機構を備えた遠心分離機のドアを開いた状態の断面図である。
【図２】同遠心分離機のドアを閉じた状態の一部を破断して示す側面図である。
【図３】同遠心分離機の筐体の平面図である。
【図４】ガススプリングの伸長した状態を示す側面図である。
【図５】（ａ）〜（ｃ）はストッパ部材の上面板との接触面積を示す図である。
【図６】従来の遠心分離機のドアを開いた状態の要部の側断面図である。
【図７】同遠心分離機のドアを閉じた状態の要部の側断面図である。
【符号の説明】
【００３３】
２０…遠心分離機、２１…筐体、２２…ドア、２３…チャンバー、２４…遠心分離機用ロータ、２５…駆動モータ、２６…ドア機構、３１…上面板、３３…ステー用孔、４２…蝶番、４３…ガススプリング、５０…ストッパ部材。
【図１】
2008168253.tif 000003
【図２】
2008168253.tif 000004
【図３】
2008168253.tif 000005
【図４】
2008168253.tif 000006
【図５】
2008168253.tif 000007
【図６】
2008168253.tif 000008
【図７】
2008168253.tif 000009